(57)【特許請求の範囲】
【請求項１】
扉の外側のハンドルを操作して掛金を筐体や躯体又は支柱など固定側の本体に掛けたり外したりする戸構造において、前記扉の内側で前記ハンドルと連設した基体に操作ピンで枢着した操作板と、該操作板と引張スプリングを介して前記扉の内側の前記基体に設けた作用ピンにより回動自在にした前記掛金とからなり、常態では扉の外側から前記ハンドルを操作することで前記操作板を前記引張スプリングの引張力で前記掛金に当接した状態で前記基体、操作板及び掛金の基部を回動して前記掛金を本体に掛けたり外したりするとともに、非常態には扉の内側から前記操作板の前記操作ピンと離れた箇所を押すことで、前記操作板の前記掛金への当接状態から外すことにより、前記引張スプリングで前記掛金を前記本体から外して前記扉を内側から開くようにしたことを特徴とする戸構造の内部解錠装置。
【請求項２】
前記操作ピンと離れた箇所に把持部を設けたことを特徴とする請求項１に記載の戸構造の内部解錠装置。
【請求項３】
前記操作板と前記掛金を、それぞれ前記基体に枢着した操作ピンと作用ピンで枢着するとともに、前記掛金が前記本体に掛けられている際に、前記操作板の先端とともに前記掛金の基部を挟持するようにした添板を前記基体に設けたことを特徴とする請求項１又は２に記載の戸構造の内部解錠装置。
【発明の詳細な説明】
【０００１】
【発明の属する技術分野】
本発明は、平面ハンドルやレバーハンドルなど扉の外側からハンドルレバーを廻して躯体や筐体又は支柱などの本体から、扉を開閉する戸構造において、扉の内部からでも緊急脱出できる戸構造の内部解錠装置に関する。
【０００２】
【従来の技術】
従来のレバーハンドルは、図２７と図２８に示すものであり、これは扉５１の外側のハンドル５２を廻すことで、扉の内側に設けた掛金８８を本体側５９に掛止するようにしたものである。すなわち、ハンドル５２は扉５１の３つの孔に入れてからその先部の雄ネジ５４に固定ナット５３を螺合することにより扉５１に固定し、ついでハンドル５２の先端の角形突起５５に角穴５６を設けた掛金８８を入れてから掛金取付ボルト５８で締着していた。これにより、レバーハンドルは図２８に示す状態で扉５１を本体５９に固定し、扉５１を開けるには矢印の方向にハンドル５２を回転して（締める時は逆方向）から扉５１を外側（図面上奥側）に引くことで開放していた。
【０００３】
また、扉を外側から開くハンドル装置のハンドルとして上記レバーハンドルの他に、図２９乃至図３３に示す平面ハンドルがある。
【０００４】
図２９および図３０は、この従来のハンドル装置を示す正面図および縦断面図である。このハンドル装置６０は本体としての筺体５９の扉５１に穿孔やビスなどを介して取り付けられている。このハンドル装置６０を構成するハンドルケース６１は、金属モールドなどによって長矩形の凹部６１ａおよびこれの一端に連続する円状の凹部６１ｂを持つ容器形状に形成され、各凹部６１ａ、６１ｂの開放部周辺にはフランジ部６２が形成されている。凹部６１ａには高底部６３とこれにより一段低い低底部６４とが連続して設けられ、これらの高底部６３および低底部６４には、後述のハンドル本体７１とこのハンドル本体の一部であるロックユニット部７３が脱出可能に収納される。
【０００５】
また、高底部６３の中央部には、ハンドル本体をフランジ部６２に対して均一面を形成するように支承する支承ピン６５、６６が一体に設けられている。一方低底部６４の下部に上方に向って突出する爪受部６７が突設され、さらにこの爪受部６７付近に、後述の押しボタンの操作量を規制する支承突起６８が一体に突設されている。
【０００６】
一方、前記円状の凹部６１ｂ内には、この凹部６１ｂ内で自由に回転する切欠円盤６９が収容され、この切欠円盤６９に形成された矩形の切欠７０内に、前記ハンドル本体７１の上端部が支軸７２を中心に垂直回動自在に支持されている。なお、ハンドル本体７１は正面から見て全体として長矩形をなし、これが支承ピン６５、６６によって前記のように支承され、ハンドル本体７１の下部にあるロックユニット部７３が前記低底部６４内に収納されている。このロックユニット部７３は低底部６４側に大きく突出する形態をなし、その一部に錠前７４が収納されている。
【０００７】
さらに、ハンドル本体７１の下部には、略Ｌ字状をなすハンドル脱出手段としてのプッシュボタン７５が水平支軸７６を中心に回動自在に支持されており、このプッシュボタン７５はこれを錠前７４との間に介在されたスプリング７７によって、図３０において、常に反時計方向に付勢されている。このプッシュボタン７５は低底部６４側端に、下方に向って突出する係止爪７８を有し、ハンドル本体７１が長矩形の凹部６１ａ内に収納されるとき、前記爪受部６７の頭に沿ってガイドされた後に、前記スプリング７７の反発力を利用して、爪受部６７に自動係合するように機能する。従って、プッシュボタン７５の操作部７５ａ側を指で押圧すると、このプッシュボタン７５は水平支軸７６を中心に、図３０中、時計方向に回動され、爪受部６７による係止爪７８の係止解除が行われる。なお、前記支軸７２には、ハンドル本体７１を、常時切欠７０および凹部６１ａの外方へ突出させるように付勢するねじりスプリング７９が装架されている。
【０００８】
前記切欠円盤６９はこれの背面側の中心部に軸部８０を一体に有し、この軸部８０が凹部６１ｂの底部に設けられた支持孔８１を貫通して後方に突出し、この突出部に嵌められた止め輪８２により抜け止めされている。また、凹部６１ｂの底部と切欠円盤６９との間に、スプリングワッシャ８３およびシールリング８４が介装されている。さらに、前記軸部８０にはねじ孔８５が設けられており、このねじ孔８５にねじ込まれたねじ８６によって、軸部８０の外周に順次並設された軸部８０用の回動規制板８７、掛金８８、ワッシャ８９、スプリングワッシャ９０が固定されている。なお回動規制板８７は凹部６１ｂの底部後端（背面）に一体に突設されたストッパ突起９１により、切欠円盤６９の回動量も９０°内に規制され、これにより図３１に示すハンドル本体７１の下部円弧状の回転を９０°以上回動しないように規制されている。
【０００９】
このような構成のハンドル装置では、図２９および図３０に示すような状態にあるとき、掛金８８が略水平位置にあって、筺体５９側の図示しない止め枠内に掛止し、従って、扉５１の筺体５９に対する閉扉状態が維持される。一方、この閉扉状態から開扉を行う場合には、錠前７４を解錠後プッシュボタン７５の下端を指で軽く押圧する。これにより、プッシュボタン７５は水平支軸７６を中心に、図３０中、スプリング７７に抗して時計方向に回動し、爪受部６７から係止爪７８が外れる。このため、このプッシュボタン７５と一体のハンドル本体７１は、ねじりスプリング７９の反発力を受けて、支軸７２を中心に跳ね上がるように回動し、図３１の鎖線で示す状態となる。
【００１０】
次に、ハンドル本体７１を手で握って、切欠円盤６９を中心として、図３１の実線で示すように反時計方向に（矢印方向）に回動操作する。この操作によって、切欠円盤６９とともに軸部８０が同方向に回転し、この軸部８０にねじ８６によって取り付けられた掛金８８が反時計方向に回動する。このため、この掛金８８は前記筺体５９側の止め枠から外れ、続いてハンドル本体７１を手前に引き込むことで、筺体５９の扉５１が開放されることになる。また、閉扉はこのような扉５１の開放操作を逆の手順で実施することで、図２９、図３０に示す状態にて簡単に行える。
なお、図３２と図３３は従来例と近似の分解図と扉への取付操作状態を示す。
【００１１】
一方、従来技術としては、上記図２７乃至図３３の他に、図３４乃至図３７がある。この図３４乃至図３７と上記図３０乃至図３３との違いは、後者が掛金８８を廻すには錠前７４を開錠してから押し込み可能になったプッシュボタン７５を時計方向に押すことでスプリング７９でハンドル本体７１がはね上がり、その後ハンドル本体７１を９０°ほど廻して掛金８８を廻すことで筐体５９から外す。前者は、錠前７４の開錠により押圧可能なプッシュボタン７５をスプリング７７'に抗して押し込むとプッシュボタン７５と係合していたハンドル本体７１の係止部１１０が外れ、スプリング７９でハンドルははね上がる。そしてはね上がりの動作と同時に、雲形の穴９５から突出していた突出部であるフック１０５は、軸１０２を中心に右回転することで雲形の穴９５から突出している上記フック１０５を押し下げることで、掛金８８は操作ピン１０７を中心に時計方向に回転して作用ピン１０９が穴９５の上辺に当たるまで下方に降りる。このように、ハンドルをスプリング７９ではね上げるだけで、掛金８８を下方に降してから扉５１を本体５９から開くことを可能にしている。
ハンドルケース６１の上下部には、扉５１への取り付け用のビス孔とビス９３，９４を設けている。
【００１２】
【発明が解決しようとする課題】
ところで、上記のような従来のレバーハンドルや平面ハンドルの裏側（扉の内側）は、図２８と図３３に示すように、扉５１の外側からハンドル５２、７１を回転することで、掛金８８を本体５９から外すようになっていて、内側から簡単に外す構成になっていない。例えば、人間が中に入って作業する分電盤において外の作業者が誤って扉を閉めて施錠された時や、マンションのＰＳや貯電ボックス等、密閉されていて他に出入口がない部屋の内部から外部へ脱出する場合等において、前述した扉５１を掛金８８で締着した場合にはその締着力によってなかなか外部へ脱出できない場合がある。
また、図３５の場合では工具（図示せず）などで操作ピン１０７のネジを外さない限り扉の内側から外側へ脱出できない。
【００１３】
本発明は、前記従来の欠点に着目し、これを解決せんとするものであり、その目的は掛金が扉と本体間に強い摩擦力が働いたり、工具等がない場合でも、内部から容易に脱出できる戸構造の内部解錠装置を提供することにある。
【００１４】
【課題を解決するための手段】
本発明は前記目的に鑑みてなされたものであり、その要旨は扉の外側のハンドルを操作して掛金を筐体や躯体又は支柱など固定側の本体に掛けたり外したりする戸構造において、前記扉の内側で前記ハンドルと連設した基体に操作ピンで枢着した操作板と、該操作板と引張スプリングを介して前記扉の内側の前記基体に設けた作用ピンにより回動自在にした前記掛金とからなり、常態では扉の外側から前記ハンドルを操作することで前記操作板を前記引張スプリングの引張力で前記掛金に当接した状態で前記基体、操作板及び掛金の基部を回動して前記掛金を本体に掛けたり外したりするとともに、非常態には扉の内側から前記操作板の前記操作ピンと離れた箇所を押すことで、前記操作板の前記掛金への当接状態から外すことにより、前記引張スプリングで前記掛金を前記本体から外して前記扉を内側から開くようにしたことを特徴とする戸構造の内部解錠装置にある。
【００１５】
上記の態様によれば、錆や扉と本体間の強い圧力により掛金が室内部から外すことができない場合でも、操作板や掛金を容易に操作すると同時又はこれと併行して扉を内側から外側に押すことで内側からの扉の開放を容易かつ確実に行なうようにした。
【００１６】
本発明の別の要旨は、前記操作ピンと離れた箇所に把持部を設けたことを特徴とする請求項１に記載の戸構造の内部解錠装置にあり、これにより非常時における扉からの脱出操作を容易にする。
【００１７】
本発明のさらに別の要旨は、操作板と掛金とを基体に枢着して、操作板の先端と基体の添板間に掛金の基部を挟着して、本体への掛金を安定させる。
【００１８】
【実施例１】
図１乃至図６は、本発明の一実施例であり、そのうち図１は平面ハンドルのハンドル本体７１を扉５１に取り付けて、躯体、戸枠、筐体など固定側の本体５９の受け９２に掛金８８を掛けた通常の状態（常態）を示す上方から見た一部横断面図であり、図２は図１を扉の内側から見た正面図、図３は平面ハンドル７１で掛金８８を本体５９から外した状態の一部横断面図、図４は図３の正面図、図５は扉５１の内側から本体より掛金８８を外した非常態の一部横断面図、図６は図５の状態からさらに扉５１を開いた状態の一部横断面図である。
【００１９】
これらの図において、１は長手方向に沿って両側を折り曲げてガイド板４，４'としたチャンネル状の基体であり、基体に設けた略中央部角穴３にハンドル本体７１の裏側（扉の内側）に突出したハンドルの回転軸となる角形軸部８０を差し込み、これらをワッシャー２を介して掛金取付ボルト５８で螺着している。また、基体１の長手方向の一端部にはチャンネル状のガイド板４，４'とクロスして後述する掛金８８の基部６を保持する添板５を膨らみ４"に設けて一体成形している。さらに、ガイド板４，４'は補強材としての役割の他に、２つのガイド板間に一定間隔を置いて２本のピンを架設し、その一方のピンを操作ピン７として操作板８を、また他方のピンが作用ピン９となって掛金８８を、それぞれ回動可能に枢着している。
【００２０】
掛金８８は、基部６から９０度折り曲って本体５９の受け９２に掛ける先部１０へと山形鋼状に一体形成されている。この先部１０は掛金を補強するために両角端を他より厚肉にしている。また、掛金８８の基部６には両側にフランジ部１１，１１'を設けることで、その一端部を掛金と前記したチャンネル状の基体１のガイド板４，４'の一端部と重ね合せて作用ピン９を貫通することで掛金８８を基体から回動可能に枢着している。さらに、掛金８８の基板６と先部１０とのコーナーの外側をやや高く設けることで、前記立ち上がり部４，４'との間に、後述する操作板８の先端１３を止めるストッパー部１２の役割をしている。
【００２１】
一方、操作板８の両側にもフランジ部１４，１４'を設け、これらを前記した基体１のガイド板４，４'と重ね合せて前記操作ピン７により枢着して、操作板８を操作ピン７を軸にして回動可能に枢着している。操作板８の操作ピンの掛金８８と反対側にボルト１５で把持部１６としてのボールを設けている。また、この操作板には、窓孔１７を設けて、扉５１の内側からボルト５８を外させるようにすることで、前記掛金８８と操作板８、及び基体１を扉５１から外せるようにしている。
【００２２】
また、前記掛金８８と操作板８との間には、それぞれスポット溶接で固定した止め金１８，１９間に２本の引張スプリング２０を配設している。
【００２３】
ついで、上記戸構造の常態における扉の本体からの開閉と、非常態での開閉について、以下に記載する。
【００２４】
常態における扉５１の開閉は、本体５９の受け９２にある掛金８８を、扉５１の外側からハンドル本体７１を飛び出してから回転させる（図３１のように）ことで、本体５９の受け９２から掛金８８を外してから扉５１を外側に引っ張って開き（図３，図４）、逆に扉５１を元に戻してからハンドル本体７１を逆回転して掛金８８を本体５９の受け９２に掛ける。
【００２５】
一方、既述したように分電盤の内に作業者が入っている状態で誤って他の作業者が扉を閉めてしまった場合や、火災の場所により玄関から脱出できず、ＰＳの中から逃げ出す場合のような非常事態では、図１と図２の状態から、図５のように扉５１の内外からボール（把持部）１６を押すことで操作ピン７を軸として操作板８が矢印方向に回転することで、操作板８の先端１３が掛金８８のストッパー部１２から外れ、今まで引っ張り作用が働いていたスプリング２０により掛金８８の先部１０が本体５９の受け９２から外れ、扉は前記矢印方向の押圧する力によりそのまま開放される（図６）。
【００２６】
【実施例２】
図７乃至図１３は、本発明の他の実施態様であり、図７は平面ハンドル７１の常態を現わす上方から見た一部横断面であり、図８は図７を（扉の）内側から見た正面図、図９は図８の左側面図である。図１０と図１２は非常時において図１０から引き輪１６'を引いた状態の説明図とその斜視図、図１１と図１３は図１０と図１２からさらに掛金を完全に外した状態の説明図とその斜視図である。
【００２７】
これらの実施例２が実施例１と異なる点は、実施例１の方は操作板８のボール１６が操作ピン７の位置より外側（先端１３からより離れた位置）にあるために、非常時ではボール１６を押すだけで扉が開かれるが、実施例２の方では引き輪１６'が掛金８８の付近にあるところが主なものである。したがって、実施例２の扉内の脱出者は一度引き輪１６'を引っ張ることで先端１３'を掛金８８のストッパー部１２'から外してから扉を外側に押して開くようにしたものである。
【００２８】
なお、その他実施例２が実施例１と異なる他の点は、後者では掛金のコーナー側をやや高くしてストッパー部１２を設けているが、前者では図１２や図１３に見られるように掛金８８のコーナー部の幅方向両側を二本突き出して、これに操作板８の先端１３'を引っ掛けるようにして止めている点にある。
【００２９】
したがって、実施例２の常態では実施例１と全く同一、すなわち扉５１の外側からハンドル本体７１を廻して掛金８８を本体５９の受け９２から外して扉５１を開き、扉５１を元の位置に戻してからハンドル本体７１を廻して閉める。一方、非常態においては引き輪１６'を手前に引くことで操作板８の先端１３'を掛金８８のストッパー部１２'から外すことにより掛金８８を本体５９の受け９２から外し、その後扉５１を内側から前方へ押すことで開放する。
【００３０】
【実施例３】
また、本発明の別の実施例は図１乃至図６の実施例が図３１のようにハンドル本体７１を飛び出してから回転させることで掛金８８を本体５９から外すものであるのに対して、図３４乃至図３７のように、単にハンドル本体７１をスプリング７９で飛び出す操作のみにより、扉を開放することに応用したものである。すなわち、常態では図２５と図２６に示すハンドル本体７１をハンドルケース６１から飛び出すことにより、フック１０５の先部がスプリング７９により掛金８８の雲形の穴９５の内部を移動し、さらに掛金を押し下げることで本体５９から扉５１を外すようにしたものである。また、非常態では前記した図６や図１１と同様に、操作板８の把持部１６を押すことにより、操作板の先端を掛金８８から外して、扉を内側に開くようにする。なお、本実施例を図７乃至図１３の実施例に応用して、把持部１６'を引いてから押すことにより、扉を開くことも当然できる。
【００３１】
【実施例４】
図１４乃至図１９は、本発明の別の実施態様であり、図１４と図１８は平面ハンドル７１の常態を現わす上方から見た一部横面図とその斜視図であり、図１５は図１４を扉の内側から見た正面図、図１６は図１５の左側面図、第１７と図１９は図１４から引き輪１６"を引いて掛金を外した状態の説明図とその斜視図である。
【００３２】
これらの実施例４が上記実施例と相違する点は、チャンネル状のガイド板４，４'を設けた基体１に添板５を設けることなく、掛金８８を基体１と一直線状になるように作用ピン９により枢着している（図１４乃至図１６）。通常（常態）、人が扉の外側から内側に入る時は、この状態で平面ハンドルを飛び出すか、ハンドルを飛び出してから回転することで（図３１）、掛金８８を同時に回転させることにより本体５９より外す。
【００３３】
一方、人が扉内に入っている状態（非常時）では、引き輪１６"を扉内側から手前に引くことで、操作板の先端１３"を掛金８８の先部（本体５９の受け９２に入る部分）に設けた打ち抜き突起２１から外す（図１７、図１９）。そして、この引っ張りと同時に掛金８８は本体５９の受け９２から外れ、ついで扉５１を内側から外側に押すことで開放される。
【００３４】
【実施例５】
もう一つの実施形態を、図２０乃至図２２の平面ハンドルで、また図２３と図２４のレバーハンドルにより説明する。
【００３５】
図２０は、平面ハンドルのハンドル本体７１の裏側に、本発明の戸構造の内部解錠装置を取り付けた状態を上から見た一部横断面図、図２１は図２０の取り付け説明図、図２２は取付け後の斜視図である。
【００３６】
この発明の実施形態が、上記した各実施形態と異なるところは操作板８と掛金８８とが一枚の板としての操作兼用掛金２５となり、この板２５の上下部に断面コの字形のガイドレール２３，２３'を設け、これをハンドル本体７１の軸部８０にねじ８６で固着した固定基板２４に左右方向にスライドさせることで、掛金８８を本体５９の受け９２から出入するようにしている。前記固定基板２４を取り付けた固定ピンとしてのねじ８６は、操作兼用掛金２５のスライド方向中央部に設けた長孔２６の中に位置することで左右の摺動幅を規制している。
【００３７】
すなわち、本実施形態では前記平面ハンドルを廻すことで、外周が四角形の軸部８０とそれに入る四角形の穴を設けた高さ調整スペーサー８１が、前記固定基板２４の中央角孔２７に入る構造により、固定基板２４とともに操作兼用掛金２５を廻すことで該掛金２５を本体５９の受け９２から外し、扉５１を外側から引くことで開く。扉５１を本体５９に閉めるには上記逆の操作を行なう。
【００３８】
そこで、人が上記扉５１の内側に閉じ込められたような非常時、つまり操作兼用掛金８８が受け９２に入っている状態で人が扉内に閉じ込められているときは、扉内部の人が前記操作兼用掛金を図２２の状態から左方（矢印）へスライドすることで掛金を受け９２から外し、内側から扉５１を外方へ押すことで扉を開放して脱出する。
なお、上記実施例の平面ハンドルはハンドルをはね上げてから廻す構成になっているが、これに限られずハンドルをスプリング７９ではね上げると共に、図３４乃至図３７に示すフック１０５で掛金８８を本体の受け９２から外す場合も本実施例に含まれる。
【００３９】
図２３と図２４において、ハンドル５２の扉の内側には、固定ピンとしてのねじ５８を設けた角形突起が扉の内側に出ており、この固定ピン５８がストレート状の操作兼用掛金２５の長孔２６内に位置し、ガイドレール２３，２３'に沿って左右に摺動する掛金２５の摺動量を制限し、非常時には掛金２５を本体から外して扉内から外へ脱出する。
【００４０】
【発明の効果】
本発明によれば、通常時では扉の外側からハンドルを操作して扉の掛金を本体から開閉するが、緊急時には扉の内側からでもこの掛金を本体から容易に外すことができるようにしたので、扉の内側からでも簡単に脱出することができる。
【図面の簡単な説明】
【図１】  平面ハンドルの一部横断面図。
【図２】  図１の正面図。
【図３】  図１の掛金を本体から外した一部横断面図。
【図４】  図３の正面図。
【図５】  図１のボールを矢印方向に押して掛金を本体から外した状態の一部横断面図。
【図６】  図５のボールをさらに押して扉を開いた状態の一部横断面図。
【図７】  図１とは別の実施例である平面ハンドルの一部横断面図。
【図８】  図７の正面図。
【図９】  図８の左側面図。
【図１０】  図７の引き輪を少し引いた状態の一部横断面図。
【図１１】  図１０の引き輪をさらに引いて掛金を本体受けから外した状態の一部横断面図。
【図１２】  図１０の斜視図。
【図１３】  図１１の斜視図。
【図１４】  図１や図７とは更に別の実施例としての平面ハンドルの一部横断面図。
【図１５】  図１４の正面図。
【図１６】  図１５左側面図。
【図１７】  図１４の引き輪を引きバネとともに掛金を受けから外した状態の一部横断面図。
【図１８】  図１４の斜視図。
【図１９】  図１７の斜視図。
【図２０】  図１、図７及び図１４と違う実施例としての平面ハンドルの横断面図。
【図２１】  図２０の平面ハンドルへの取り付け状態を示す分解斜視図。
【図２２】  図２１の組立状態斜視図。
【図２３】  図２０とは別の実施例の分解斜視図。
【図２４】  図２３の組立状態斜視図。
【図２５】  図１の別の実施例の組立状態斜視図。
【図２６】  図２５における基体の斜視図。
【図２７】  従来のレバーハンドルの取付状態を示す分解斜視図。
【図２８】  図２７の組立状態斜視図。
【図２９】  従来の平面ハンドルの扉外側からの正面図。
【図３０】  図２９の縦断面図。
【図３１】  図２９、図３０から掛金を受けから外す状態の説明図。
【図３２】  従来の平面ハンドルの組立状態斜視図。
【図３３】  図３２の組立状態斜視図。
【図３４】  図２９乃至図３３とは別の従来の平面ハンドルの縦断面図。
【図３５】  図３４の組立状態斜視図。
【図３６】  図３４からハンドルを飛び出した状態の縦断面図。
【図３７】  図３６の組立状態斜視図。
【符号の説明】
１  ハンドル裏側に取り付けた基体
８８  掛金
８  操作板
７  操作ピン
９  作用ピン
１６  ボール（把持部）
１６'，１６"  引き輪（把持部）
２０  引張スプリング
２１  突起
２２  バネ
２３，２３'  ガイド手段（ガイドレール）
２４  固定基板
５１  扉
５８，８６  固定ピン
５９  本体
【図１】
0003911484.tif 000002
【図２】
0003911484.tif 000003
【図３】
0003911484.tif 000004
【図４】
0003911484.tif 000005
【図５】
0003911484.tif 000006
【図６】
0003911484.tif 000007
【図７】
0003911484.tif 000008
【図８】
0003911484.tif 000009
【図９】
0003911484.tif 000010
【図１０】
0003911484.tif 000011
【図１１】
0003911484.tif 000012
【図１２】
0003911484.tif 000013
【図１３】
0003911484.tif 000014
【図１４】
0003911484.tif 000015
【図１５】
0003911484.tif 000016
【図１６】
0003911484.tif 000017
【図１７】
0003911484.tif 000018
【図１８】
0003911484.tif 000019
【図１９】
0003911484.tif 000020
【図２０】
0003911484.tif 000021
【図２１】
0003911484.tif 000022
【図２２】
0003911484.tif 000023
【図２３】
0003911484.tif 000024
【図２４】
0003911484.tif 000025
【図２５】
0003911484.tif 000026
【図２６】
0003911484.tif 000027
【図２７】
0003911484.tif 000028
【図２８】
0003911484.tif 000029
【図２９】
0003911484.tif 000030
【図３０】
0003911484.tif 000031
【図３１】
0003911484.tif 000032
【図３２】
0003911484.tif 000033
【図３３】
0003911484.tif 000034
【図３４】
0003911484.tif 000035
【図３５】
0003911484.tif 000036
【図３６】
0003911484.tif 000037
【図３７】
0003911484.tif 000038